(57)【要約】【課題】可動体の変位に追従してフラットケーブルを弛むことなく引き出しかつコンパクトに巻取収納でき、フラットケーブルを巻取部から可動体までの適正な線長に容易に設定して組み付けることができる遊技機用演出装置を提供する。【解決手段】  取付ベース２１に設けられ、可動体２０の移動動作に連動して正逆いずれかの方向に回転する巻取部２３に、フラットケーブル２４の一端側を巻心部に固定する第一固定具２５と、可動体２０に接続する他端部２４ｂから所定ケーブル長でフラットケーブル２４の中間部を巻心部より外側で固定する第二固定部２５ｂを備えた。【選択図】図６
2020124322.tif 000002
【特許請求の範囲】
【請求項１】
取付ベースと、
前記取付ベースに第一位置と第二位置との間を変位可能に設けられる可動体と、
前記取付ベース又は前記可動体のいずれかに設けられ、前記可動体の移動動作に連動して正逆いずれかの方向に回転する巻取部と、
前記巻取部に一端側が固定され他端が前記可動体又は前記取付ベースのいずれかに接続され、前記巻取部に所定長引き出し可能に巻き取られて電気的に配線接続されるフラットケーブルと、を備え、
前記巻取部は、前記フラットケーブルの一端側を巻心部に固定する第一固定部と、前記可動体又は前記取付ベースに接続する他端から所定ケーブル長で前記フラットケーブルの中間部を巻心部より外側で固定する第二固定部と、を備えたことを特徴とする遊技機用演出装置。
【請求項２】
前記巻取部は、前記第一固定部に一端が固定された前記フラットケーブルの余剰分が弛緩した状態で巻き取られる第一巻取部と、前記第一巻取部と同心状に配置され前記可動体の移動に連動して回転する第二巻取部と、を備え、前記第二固定部による固定位置から前記可動体の最大変位量に対応するケーブル長が前記第二巻取部に巻き取られる請求項１記載の遊技機用演出装置。
【請求項３】
前記可動体を原点位置から最大変位位置まで移動させる駆動源と、前記駆動源より駆動伝達する駆動伝達機構を備え、前記駆動源は前記可動体を変位させる動作と同期をとって前記第二巻取部を回転させる請求項２記載の遊技機用演出装置。
【請求項４】
少なくとも前記可動体又は前記取付ベースのいずれかには歯面が形成されており、駆動歯車又は該駆動歯車と噛み合う第一従動歯車が前記歯面と噛み合い、前記第二巻取部に同心状に設けられた巻取歯車又は該巻取歯車と噛み合う第二従動歯車が前記歯面と噛み合っている請求項３記載の遊技機用演出装置。
【請求項５】
前記巻取部は、前記取付ベース又は前記可動体に固定された第一巻取部を中心としてこれを同心状に囲む周壁を有する第二巻取部が回転可能に組み付けられており、前記フラットケーブルの一端側の余剰分が弛緩した状態で前記第一巻取部に巻き取られ、前記周壁に設けられた開口部の近傍で前記第二固定部により周壁内面に押し当てられたまま前記フラットケーブルの他端側が前記開口部を通じて周壁外面に引き出されて前記可動体の移動相当分が巻き取られている請求項１乃至請求項４のいずれかに記載の遊技機用演出装置。
【請求項６】
請求項１乃至請求項５のいずれかに記載の遊技機用演出装置を備えたことを特徴とする遊技機。
【発明の詳細な説明】
【技術分野】
【０００１】
本開示は、遊技機用演出装置及びこれを備えた遊技機に関する。
【背景技術】
【０００２】
パチンコ機などの遊技機は、球受け皿に貯留された遊技球を球発射装置の発射位置へ誘導し、前枠又は内枠に設けた発射ハンドルの操作により球発射装置を作動させて遊技盤の遊技領域に向かって遊技球を発射させる。遊技盤は、液晶表示装置やその周囲に演出効果を高めるために可動役物が配置され、液晶表示装置の画面表示と連動して可動役物が移動及び発光する演出装置が用いられる。可動役物には発光装置搭載されており、例えば大当たり抽選画面に合わせて可動役物が移動（回転・往復動等）しながら発光することにより、遊技者の興趣を増大させて、液晶画面表示の演出効果を高めるように用いられる。
【０００３】
上記演出装置には駆動源と可動役物を移動させる移動機構が組み付けられる。このとき、可動役物や液晶表示装置に給電する給電線としてフレキシブルフラットケーブルが接続される。
可動役物を移動させたときに生じるフレキシブルフラットケーブルの余剰分による弛みやテンションの増大による断線、曲げ等が発生し易く、これらを解消するための工夫が必要となる。
【０００４】
例えば、ゼンマイが設けられたボビンにフレキシブルフラットケーブルの一端が巻き取られた巻取装置を設け、フレキシブルフラットケーブルの他端は可動役物と接続され、フレキシブルフラットケーブルに常時巻き取る方向にテンションを発生させる遊技機が提案されている（特許文献１：特開２０１７−１１３４１６号公報）。
また、可動役物内に備えた回路基板と可動役物外に配設された回路基板がケーブルにより接続され、可動役物の回転軸上に設けられた巻回部にケーブルの一端が巻回され、可動役物の移動方向に移動可能に設けられた反転部を介して他端が回路基板と接続された遊技機も提案されている（特許文献２：特許第５９１２８１５号公報）。
更には、液晶可動役物ユニットの前後方向の回転軸を中心にフレキシブルフラットケーブルの一端側が巻き付けられる第１巻付部と、左右方向の回転軸を中心にフレキシブルフラットケーブルの他端側が巻き付けられる第２巻付部を備え、液晶可動役物ユニットの移動に応じて各巻付部におけるケーブルの巻き付けを緩めたり締めたりすることで、配線長の余剰分を吸収する遊技機も提案されている（特許文献３：特開２０１６−２０２２１０号公報）。
【先行技術文献】
【特許文献】
【０００５】
【特許文献１】特開２０１７−１１３４１６号公報
【特許文献２】特許第５９１２８１５号公報
【特許文献３】特開２０１６−２０２２１０号公報
【発明の概要】
【発明が解決しようとする課題】
【０００６】
上述した特許文献１に開示された遊技機は、ゼンマイによりフレキシブルフラットケーブルに常時テンション（負荷）がかかった状態となるため、経時劣化によりケーブルが断線するおそれがある。また、巻取装置から可動役物までケーブルを引き出して接続する接続作業もゼンマイの付勢に抗して行う必要があり、負荷がかかった状態で配線作業を強いられるため作業性が悪い。
特許文献２に開示された遊技機は、可動役物の回転軸上にケーブルの巻回部が設けられているため、可動役物が回転するだけではなく変位するものについては適用できず、可動役物の適用する態様が限られてしまう。
特許文献３に開示された遊技機は、液晶可動役物ユニットが前後方向回転軸若しくは左右方向回転軸のいずれか若しくは双方を中心に回転した後、第１巻付部を回転させてから第２巻付部を回転させてフレキシブルフラットケーブルの弛みを吸収することになるため、可動役物ユニットの変位にケーブルの巻取り動作が追従できないおそれがある。
【課題を解決するための手段】
【０００７】
以下に述べるいくつかの実施形態に適用される開示は、上記課題を解決すべくなされたものであり、その目的とするところは、可動体の変位に追従してフラットケーブルを弛むことなく引き出しかつコンパクトに巻取収納でき、フラットケーブルを巻取部から可動体までの適正な線長に容易に設定して組み付けることができる遊技機用演出装置を提供し及び該遊技機用演出装置を備えることで、遊技者の興趣を増大させて、液晶画面表示の演出効果を高めることが可能な遊技機を提供することにある。
【０００８】
以下に述べるいくつかの実施形態に関する開示は、少なくとも次の構成を備える。取付ベースと、前記取付ベースに第一位置と第二位置との間を変位可能に設けられる可動体と、前記取付ベース又は前記可動体のいずれかに設けられ、前記可動体の移動動作に連動して正逆いずれかの方向に回転する巻取部と、前記巻取部に一端側が固定され他端が前記可動体又は前記取付ベースのいずれかに接続され、前記巻取部に所定長引き出し可能に巻き取られて電気的に配線接続されるフラットケーブルと、を備え、前記巻取部は、前記フラットケーブルの一端側を巻心部に固定する第一固定部と、前記可動体又は前記取付ベースに接続する他端から所定ケーブル長（適正な線長）で前記フラットケーブルの中間部を巻心部より外側で固定する第二固定部と、を備えたことを特徴とする。
これにより、巻取部と可動体とを電気的に配線接続するフラットケーブルは、可動体が変位する範囲で中間部を第二固定部により巻心部より外側で固定することができるので、フラットケーブルを巻取部から可動体までの適正な線長に容易に設定して組み付けることができる。また、巻取部は可動体の移動動作に連動して正逆いずれかの方向に回転するため、フラットケーブルには可動体の変位に伴って無理な負荷が作用することはなく、可動体の変位に即応した引き出し及び巻取りを実現でき、可動体の変位に追従してフラットケーブルをコンパクトに巻取り収納することができる。
【０００９】
前記巻取部は、前記第一固定部に一端が固定された前記フラットケーブルの余剰分が弛緩した状態で巻き取られる第一巻取部と、前記第一巻取部と同心状に配置され前記可動体の移動に連動して回転する第二巻取部と、を備え、前記第二固定部による固定位置から前記可動体の最大変位量に対応するケーブル長が前記第二巻取部に巻き取られることが好ましい。
これにより、第二固定部による固定位置から前記可動体の最大変位量に対応するケーブル長が前記第二巻取部に巻き取られているので、可動体が原点位置（第一位置）においては所定長（適正な線長）のフラットケーブルが第二巻取部に弛むことなく巻き取られており、可動体が最大変位位置（第二位置）まで変位すると、第二巻取部に巻き取られた所定長（適正な線長）のフラットケーブルが、可動体の変位に連動して弛むことなく引き出されるので、フラットケーブルを無理なく引き出すことができる。また、第一巻取部にフラットケーブルの一端を第一固定部に固定して余剰分を弛緩した状態で巻き取り、他端を可動体に接続し、可動体を最大変位位置に変位した状態でフラットケーブルの中間部を弛みなく第二固定部で押さえ固定するので、ケーブルの接続部に負荷が作用せずに配線作業がし易い。また、フラットケーブルの中間部を第二固定部で弛みなく固定することにより、可動体の移動に追従して第二巻取部が回転し、フラットケーブルがタイムラグなく第二巻取部から引き出されるかまたは巻き取られるので、可動体を支障なく移動させることができる。
【００１０】
前記可動体を原点位置から最大変位位置まで移動させる駆動源と、前記駆動源より駆動伝達する駆動伝達機構を備え、前記駆動源は前記可動体を変位させる動作と同期をとって前記第二巻取部を回転させることが望ましい。
これにより、可動体の変位動作と第二巻取部の回転動作の同期をとって行うことで、フラットケーブルに無理な負荷が作用することなく引き出し及び巻き取りを行うことができる。
【００１１】
少なくとも前記可動体又は前記取付ベースのいずれかには歯面が形成されており、駆動歯車又は該駆動歯車と噛み合う第一従動歯車が前記歯面と噛み合い、前記第二巻取部に同心状に設けられた巻取歯車又は該巻取歯車と噛み合う第二従動歯車が前記歯面と噛み合っていることが好ましい。
これにより、可動体の変位速度と第二巻取部におけるフラットケーブルの引き出し或いは巻き取り速度を一定にすることで、フラットケーブルに負荷が作用することなくケーブル引き出し動作或いは巻取動作を安定して行うことができる。
【００１２】
前記巻取部は、前記取付ベース又は前記可動体に固定された第一巻取部を中心としてこれを同心状に囲む周壁を有する第二巻取部が回転可能に組み付けられており、前記フラットケーブルの一端側の余剰分が弛緩した状態で前記第一巻取部に巻き取られ、前記周壁に設けられた開口部の近傍で前記第二固定部により周壁内面に押し当てられたまま前記フラットケーブルの他端側が前記開口部を通じて周壁外面に引き出されて前記可動体の移動相当分が巻き取られていてもよい。
これにより、可動体が原点位置（第一位置）から移動し第二巻取部が従動回転することで第二巻取部の周壁外面に巻き取られたフラットケーブルの移動相当分が可動体の移動に即応して弛みなく引き出され、周壁内面側で第１巻取部に弛緩した状態で巻かれたフラットケーブルの余剰分が緊張状態となるように第１巻取部に巻き取られる。また、可動体が最大変位位置（第二位置）から原点位置へ戻ると、引き出されたフラットケーブルが第二巻取部の周壁外面に弛みなく巻き取られ、周壁内面側で第１巻取部に緊張状態で巻き取られたフラットケーブルが弛緩した状態に戻る。よって、可動体の移動に伴うフラットケーブルの引き出し動作若しくは巻き取り動作がタイムラグを生ずることなく実行され、フラットケーブルに無理な負荷が作用することはない。
【００１３】
上述したいずれかに記載の遊技機用演出装置を備えた遊技機においては、遊技者の興趣を増大させて、液晶画面表示等の演出効果を高めることが可能となる。
【発明の効果】
【００１４】
可動体の変位に追従してフラットケーブルを弛むことなく引き出しかつコンパクトに巻取収納でき、フラットケーブルを巻取部から可動体までの適正な線長に容易に設定して組み付けることができる遊技機用演出装置を提供することができる。
また上記遊技機用演出装置を備えることで、遊技者の興趣を増大させて、液晶画面表示等の演出効果を高めることが可能な遊技機を提供することができる。
【図面の簡単な説明】
【００１５】
【図１】パチンコ機の正面図である。
【図２】遊技機用演出装置の動作前後の状態を示す正面透視図である。
【図３】図２の遊技機用演出装置の装飾部材を取り外した駆動系を示す内視図である。
【図４】図２の遊技機用演出装置の分解斜視図である。
【図５】図２の遊技機用演出装置の第一巻取部及び第二巻取部の分解斜視図である。
【図６】図２の遊技機用演出装置の駆動伝達機構の動作前後の状態を示す背面図である。
【図７】図３の遊技機用演出装置の巻取部の動作前の拡大状態図である。
【図８】図３の遊技機用演出装置の巻取部の動作後の拡大状態図である。
【図９】他例に係る遊技機用演出装置の動作前後の状態を示す正面透視図である。
【図１０】可動部に駆動源と巻取部を搭載した他例に係る遊技機用演出装置の動作前後の状態を示す正面透視図である。
【図１１】可動部に巻取部を搭載した他例に係る遊技機用演出装置の動作前後の状態を示す正面透視図である。
【発明を実施するための形態】
【００１６】
以下、発明を実施するための一実施形態について添付図面に基づいて詳細に説明する。図１を参照して本実施形態に係る遊技機用演出装置及び遊技機の概略構成について説明する。本実施例としては、遊技機の一例としてパチンコ機について説明するものとする。
【００１７】
先ずパチンコ機１の概略構成について説明すると、図１においてパチンコ機１の外形をなす矩形状の外枠２の側部に対して内枠ヒンジ３ａ，３ｂにより内枠（図示せず）が開閉可能に取り付けられ、該内枠の側部に対して前枠ヒンジ４ａ，４ｂにより前面枠５が開閉可能に取り付けられている。また、前面枠５の開放側にはシリンダ錠５ａが設けられている。図示しないキーを鍵穴に挿入して回転操作することでシリンダ錠５ａの開錠施錠が行われる。シリンダ錠５ａはキーを差し込んで一方向へ回転させると外枠２と内枠の施錠が開錠され、他方向へ回転させると前面枠５と内枠の施錠が開錠するようになっている。
【００１８】
前面枠５の後方には透明な遊技盤６を備えた遊技盤ユニット７が設けられている。遊技盤ユニット７は、図示しない枠体状の液晶ベースに、後述する演出装置１４及び液晶表示装置１５が一体に組み付けられており、演出装置１４の前面側に透明な遊技盤６が一体に組み付けられている。液晶ベースは、図示しない内枠に一体に組み付けられる。前面枠５の中央には開口窓５ｂが形成され、ガラス板等の透明板を介して遊技領域６ａが視認可能となっている。開口窓５ｂの上方には装飾ランプ８などが設けられている。また、開口窓５ｂの下方には、貸球や賞球を貯留して球発射装置（図示せず）へ球を誘導する球受け皿９が設けられている。球受け皿９の背面側には、図示しない球発射装置が設けられている。球受け皿９の前面部右側には、操作部材１０の操作量に応じて遊技球の発射力を調整するための発射ハンドル１１が設けられている。球発射装置は、モータ或いはソレノイド駆動により槌が所定量変動して遊技球をガイドレール１２に沿って遊技領域６ａに打ち出すようになっている。また、球受け皿９の前面部中央部には、球受け皿９に貯留した遊技球を皿底部に設けられた開閉孔を開口させてドル箱等に排出する球抜きボタン１３が設けられている。
【００１９】
遊技盤６の盤面上に形成される遊技領域６ａの背面側には、演出装置１４（役モノ）が透明な遊技盤６を介して視認可能に設けられている。正面視で演出装置１４に囲まれた領域には液晶表示装置１５（図柄表示装置）が設けられている。遊技盤６の盤面上には、演出装置１４の周囲に図示しない釘、スルーチャッカー１６、始動口センサ（図示せず）を備えた始動口１７、アタッカー１８（大入賞口）等が各々設けられている。遊技球が始動口１７に入球すると、液晶表示装置１５にて図柄等が変動して大当たり抽選が開始され、演出装置１４が動作状態となって液晶表示画面に重ねて演出表示するようになっている。また、液晶表示装置１５に例えば「７，７，７」が表示されると「大当たり」となりアタッカー１８が所定時間若しくは所定数の遊技球が入球するまで開口するようになっている。始動口１７に複数の遊技球が入球すると、始動口センサ（図示せず）は入球した遊技球の数をカウントして保留球数を保留記憶する。液晶表示装置１５は、保留球の数だけ抽選動作を継続するようになっている。また、遊技領域の最下端にはアウト球（始動口１７、アタッカー１８に入賞しなかった遊技球）を回収するアウト口１９が設けられている。
【００２０】
ここで、パチンコ機１の制御系について概略説明する。
パチンコ機１の背面側には図示しない主制御基板が設けられ、遊技動作を統括制御する。主制御基板は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されており、ＣＰＵがＲＯＭに格納された各種プログラムやデータをＲＡＭに読み出して実行することにより、遊技動作を統括制御する。主制御基板には図示しない球払出装置の払い出し動作を制御する払出制御基板、液晶表示装置１５の画像表示を制御する画像処理基板、パチンコ機１に電源を供給する電源基板などが電気的に接続されて設けられている。
【００２１】
次に、演出装置１４の一例について、図２乃至図８を参照して説明する。図２（ａ）（ｂ）において、演出装置１４は、取付ベース２１の前面側に可動体２０が正逆回転可能に一体に組み付けられている。可動体２０の前面側には電気部品（装飾ランプ等）を備えた複数の装飾体２２が各々移動可能に設けられている。演出装置１４は、図１に示すように透明な遊技盤６の背面側に遊技盤ユニット７として一体に組み付けられる。
【００２２】
図４に示すように、取付ベース２１には窓部２１ａ（貫通孔）が設けられており、液晶表示装置１５の表示画面が配置される。窓部２１ａの内周面にはＬ字状のレール部２１ｂが周回して設けられている。取付ベース２１の前面には、窓部２１ａの周囲に環状に形成された可動体２０が第一位置と第二位置との間を変位可能に設けられる。可動体２０は中央部に窓部２１ａと重なり合う表示孔２０ａが設けられている。この表示孔２０ａの背面側周縁部には、複数箇所に滑車２０ｂが回転自在に設けられている。可動体２０は、取付ベース２１の前面に窓部２１ａと表示孔２０ａを位置合わせし、滑車２０ｂがレール部２１ｂ内で転がり可能に重ね合わせて組み付けられる。
【００２３】
また、図２（ａ）（ｂ）において、取付ベース２１の前面側には、巻取部２３が設けられている、巻取部２３は、可動体２０の移動動作に連動して正逆いずれかの方向に回転する。巻取部２３にはフラットケーブル２４の一端が固定されて巻き取られ他端が可動体２０に接続されて引き出し可能に電気的に配線接続されている。巻取部２３は、フラットケーブル２４の一端近傍を巻心部に固定する第一固定部２５ａと、可動体２０に接続する他端から所定ケーブル長（適正な線長）でフラットケーブル２４の中間部を巻心部より外側で固定する第二固定部２５ｂを備えている（図３参照）。
【００２４】
これにより、巻取部２３と可動体２０とを電気的に配線接続するフラットケーブル２４は、可動体２０の変位する範囲で中間部を第二固定部２５ｂにより巻心部より外側で固定することができるので、巻取部２３から可動体２０まで適正な線長のフラットケーブル２４を引き出して容易に組み付けることができる。また、巻取部２３は可動体２０の移動動作に連動して回転するため、フラットケーブル２４には可動体２０の変位に対して無理な負荷が作用することはなく、可動体２０の変位に即応した引き出し及び巻取りを実現でき、可動体２０の変位に追従してフラットケーブル２４の巻取り分をコンパクトに収納することができる。
【００２５】
図３に示すように巻取部２３は、第一固定部２５ａに一端側近傍が固定されたフラットケーブル２４の余剰分が巻き取られる第一巻取部２３ａと、第一巻取部２３ａと同心に配置され可動体２０の移動に連動して回転する第二巻取部２３ｂを備えている。第一巻取部２３ａに巻き取られる余剰分は、少なくとも可動体２０が原点位置から最大変位位置に移動する際に、第二巻取部２３ｂが回転する移動量が巻き取られている。また、第二固定部２５ｂによる固定位置から可動体２０の最大変位量に対応する所定ケーブル長（適正な線長）が第二巻取部２３ｂに巻き取られていることが好ましい。なお、第二巻取部２３ｂには、後述する第二伝達歯車２７ｂと噛合する巻取歯車２８が一体に形成されている。第二伝達歯車２７ｂは、巻取部２３の近傍の取付ベース２１の前面に突設された歯車軸２１ｃに回転可能に支持されている。
【００２６】
これにより、第二固定部２５ｂによる固定位置から可動体２０の最大変位量に対応するケーブル長が第二巻取部２３ｂに巻き取られているので、可動体２０が原点位置（第一位置：図２（ａ）参照）においては可動体２０が移動する所定ケーブル長（適正な線長）が第二巻取部２３ｂに巻き取られており、可動体２０が最大変位位置（第二位置：図２（ｂ）参照）まで変位すると、第二巻取部２３ｂに巻き取られたフラットケーブル２４が、可動体２０の変位に連動して引き出されるので、フラットケーブル２４は弛むことなく無理なく引き出すことができる。また、第一巻取部２３ａにフラットケーブル２４の一端を第一固定部２５ａに固定して余剰分を弛緩した状態で巻き取り、第二固定部２５ｂでフラットケーブルの中間部を押さえた状態で他端を可動体２０に接続するのでケーブルの接続部に負荷が作用せずに配線作業がし易い。また、フラットケーブル２４の中間部を第二固定部２５ｂで弛みなく固定することにより、可動体２０の移動に追従して第二巻取部２３ｂが回転し、フラットケーブル２４がタイムラグなく第二巻取部２３ｂから引き出されるかまたは巻き取られるので、可動体２０を支障なく移動させることができる。
尚、第二固定部２５ｂは、ビス等の固定具を緩めることによりケーブル長が調整可能な固定具を用いることにより、第一巻取部２３ａに弛緩して巻き取られたケーブルの余剰分を引き出したり戻したりすることで第二巻取部２３ｂから引き出されるケーブル長の微調整も容易に行える。
【００２７】
また、図２（ａ）（ｂ）において、取付ベース２１の前面側には、可動体２０を原点位置（第一位置）から最大変位位置（第二位置）まで移動させるステッピングモータ２６（駆動源）が設けられている。図６（ａ）（ｂ）に示すように、ステッピングモータ２６のモータ歯車２６ａより第一伝達歯車２７ａを介して可動体２０の背面側外周を切り欠いて弧状に設けられた外歯車部２０ｃ（歯面）と噛み合っており、第二巻取部２３ｂの巻取歯車２８も、第二伝達歯車２７ｂを介して外歯車部２０ｃ（歯面）と噛み合っている（駆動伝達機構）。ステッピングモータ２６は、正逆回転駆動可能であり、ステッピングモータ２６の回転がモータ歯車２６ａ、第一伝達歯車２７ａを介して外歯車部２０ｃに駆動伝達され、可動体２０は滑車２０ｂがレール部２１ｂに沿って転動して所定角度範囲（例えば１２０°範囲）で回転するようになっている。このとき、外歯車部２０ｃ（歯面）と噛み合っている第二伝達歯車２７ｂが回転することで巻取歯車２８を介して第二巻取部２３ｂも回転する。可動体２０の外周部には遮光板２０ｄが設けられており、取付ベース２１には、遮光板２０ｄの通過を検知するフォトセンサ２１ｄが設けられている（図３参照）。可動体２０は、図６（ａ）に示す原点位置から図６（ｂ）に示す最大回転位置まで時計回り方向に回転すると、フォトセンサ２１ｄが遮光板２０ｄを検知するため、この位置でステッピングモータ２６の回転が一旦停止する。ステッピングモータ２６を所定ステップ数逆回転させることで可動体２０を図６（ａ）に示す原点位置に戻すことができる。可動体２０の回転範囲は任意であるが、実施例ではおよそ１５０°の範囲で正逆回転させることができる。
【００２８】
また、図６（ａ）（ｂ）に示すように、可動体２０の背面側に設けられた外歯車部２０ｃに噛み合っている第一伝達歯車２７ａと第二伝達歯車２７ｂとは同径の歯車が用いられている。ステッピングモータ２６を起動すると、駆動動伝達機構を介して可動体２０を回転させると共に、可動体２０の回転動作と同期をとって第二伝達歯車２７ｂ及び巻取歯車２８を通じて第二巻取部２３ｂを回転させるようになっている。
【００２９】
これにより、可動体２０の回転動作と第二巻取部２３ｂの回転動作の同期をとって行うことで、フラットケーブル２４に無理な負荷が作用することなく引き出し及び巻き取りを行うことができる。
また可動体２０に形成された外歯車部２０ｃと第一伝達歯車２７ａ及びこれと同径の第二伝達歯車２７ｂが噛み合っているので、可動体２０の変位動作速度と第二巻取部２３ｂにおけるフラットケーブル２４の引き出し或いは巻き取り速度を一定にすることで、フラットケーブル２４に負荷が作用することなくフラットケーブル２４の引き出し動作或いは巻取動作を安定して行うことができる。
【００３０】
ここで、巻取部２３の構成について図５を参照して説明する。取付ベース２１の前面には、巻心部となる筒状の第一巻取部２３ａが突設されている。第一巻取部２３ａは径方向仕切り壁２３ｃに一筆書き状に連続して周回しての字状に形成される第一筒状部２３ｄを有している。第一筒状部２３ｄの周囲には、フラットケーブル２４の一端側の余剰分（ロール部２４ｃ）が巻き取られる。第一筒状部２３ｄと仕切り壁２３ｃとの境界には第一固定部２５ａに固定されたフラットケーブル２４が引き出される第一スリット２３ｅ（開口部）が形成されている。
【００３１】
第一巻取部２３ａである第一筒状部２３ｄの周囲には第二巻取部２３ｂが同心状に組み付けられる。第二巻取部２３ｂは、フラットケーブル２４の他端側の引き出し可能な余剰分が巻き取られる第二筒状部２３ｆ（周壁）と、第二筒状部２３ｆの一部が切り欠かれた第二スリット２３ｇ（開口部）が形成されている。第二筒状部２３ｆの取付ベース２１側端部には第一筒状部２３ｄと嵌合する筒孔２３ｈが設けられている。また、筒孔２３ｈが設けられた第二筒状部２３ｆの端面外周には第二伝達歯車２７ｂと噛み合う巻取歯車２８が同心状に形成されている。
第二巻取部２３ｂが筒孔２３ｈと第一筒状部２３ｄが嵌め合うように、取付ベース２１に組み付けられ、第一巻取部２３ａの外側に第二巻取部２３ｂが同心状に組み付けられる。このとき、図７に示すように、第一筒状部２３ｄと第二筒状部２３ｆとの間に形成される空間部が、後述するフラットケーブル２４の収納部２３ｉとなる。また、巻取歯車２８は、歯車軸２１ｃに嵌め込まれた第二伝達歯車２７ｂと噛み合うように組み付けられる。第二伝達歯車２７ｂは可動体２０の外歯車部２０ｃと噛み合うように組み付けられる。
【００３２】
図５に示すように、フラットケーブル２４の一端部２４ａに続く余剰分が、ロール部２４ｃとして予めロール状に周回して巻き取られており、一端部２４ａ近傍が第一巻取部２３ａに固定され、他端部２４ｂが第二巻取部２３ｂの第二スリット２３ｇ（開口部）より引き出し可能になっている。
具体的には、フラットケーブル２４の一端部２４ａは、ロール部２４ｃが第一筒状部２３ｄの外周に嵌め込まれて、一端部２４ａ近傍が第一スリット２３ｅより径方向仕切り壁２３ｃに沿って重ね合わせた状態で、第一固定部２５ａとの間に挟み込まれて固定される。第一固定部２５ａは、例えばＬ型アングル材が用いられ、第一筒状部２３ｄの筒孔内で取付ベース２１に対してねじ止めすることでフラットケーブル２４の一端部２４ａ近傍が仕切り壁２３ｃとの間で確実に固定されて組み付けられる。そして、図２及び図６に示すように、フラットケーブル２４の一端部２４ａはコネクタ部２４ｄが設けられ、図２に示す中継基板２９と接続されて図示しない画像処理基板と電気的に接続される。このとき、フラットケーブル２４を第一固定部２５ａで第一筒状部２３ｄに完全固定することで、コネクタ部２４ｄに負荷がかかることはない。
【００３３】
可動体２０の前面側には、図２に示すように発光体及び回転体を備えた装飾体２２が設けられており、各装飾体２２は、図３に示すように、装飾体モータ２２ａよりギヤ列２２ｂを介して駆動伝達されて回転軸２２ｃを中心に正逆回転して表示孔２０ａ内に突出した動作位置と可動体２０に重なる原点位置との間で回転するようになっている。これにより、遊技動作に連繋して可動体２０に設けられた装飾体２２に給電し、液晶表示画面の表示にタイミングを合わせて発光させたり、可動体２０と共に若しくは単独で装飾体２２を正逆回転させたりするなどの多様な演出を行うことができる。また、可動体２０の前面側には、図３に示すようにフラットケーブル２４を各装飾体２２と干渉しないように誘導するガイド壁２０ｆが設けられ、ガイド壁２０ｆの端部に装飾体２２に給電する端子部２０ｅを設けている。
【００３４】
また、図７に示すようにロール部２４ｃは、第一筒状部２３ｄの外周側に弛緩した状態で巻き取られている。ロール部２４ｃは収納部２３ｉに収納された状態で第二筒状部２３ｆに設けられた第二スリット２３ｇより第二筒状部２３ｆの外周側に引き出されて、第二スリット２３ｇより引き出されるフラットケーブル２４を第二筒状部２３ｆの筒孔内から内壁面に向かって第二固定部２５ｂを押し当て固定する。第二固定部２５ｂとしては、例えばＬ型アングル材が用いられ、取付ベース２１に対して調整可能にねじ止め固定される。フラットケーブル２４は第二筒状部２３ｆ（周壁）の内面に押し当てられた状態で第二スリット２３ｇ（開口部）より第二筒状部２３ｆの外面側に引き出されて余剰分が巻き取られて、可動体２０のガイド壁２０ｆに沿って引き出されて他端部２４ｂが端子部２０ｅで連結固定される（図３参照）。第二巻取部２３ｂ（第二筒状部２３ｆ）の外周に巻き取られている余剰分は、第二固定部２５ｂによるフラットケーブル２４の第二固定位置から可動体２０が原点位置より最大回転位置まで変位する間に引き出される最大変位量に対応するケーブル長が巻き取られている。
【００３５】
可動体２０は、図６（ａ）に示す原点位置から図６（ｂ）に示す最大回転位置まで回転動作すると、図８に示すように第二巻取部２３ｂ（第二筒状部２３ｆ）の外周に巻き取られたフラットケーブル２４が引き出される。このとき、可動体２０が最大回転位置まで変位すると、第二筒状部２３ｆが可動体２０の回転動作に連動して回転することで、第二巻取部２３ｂに巻き取られたフラットケーブル２４が同時に引き出される。また、収納部２３ｉ内に弛緩した状態で巻き取られているロール部２４ｃは、第二筒状部２３ｆの回転に伴って第一筒状部２３ｄの外周に巻き締められる緊張状態となって巻き取られる。また、可動体２０が図６（ｂ）に示す最大回転位置から図６（ａ）に示す原点位置まで戻ると、可動体２０の回転動作に連動して第二筒状部２３ｆが回転することで引き出されたフラットケーブル２４を第二巻取部２３ｂ（第二筒状部２３ｆ）の外周に再度弛むことなく巻き取ることができる。このとき、収納部２３ｉ内のロール部２４ｃは、図７に示すように、第二筒状部２３ｆの回転に伴って第一筒状部２３ｄの外周に弛緩した状態となる。よって、フラットケーブル２４は、可動体２０の動きに即応して収納かつ無理なく引き出すことができる。
【００３６】
これにより、第二固定部２５ｂでフラットケーブル２４の中途部を調整可能に固定することで、引き出し側の他端２４ｂを可動体２０に接続する際にフラットケーブル２４に負荷が作用せず配線作業がし易く、適正な線長とすることができ、弛みによる不具合を起こすことはない。また、可動体２０に接続されるフラットケーブル２４の他端２４ｂから第二巻取部２３ｂに巻き取られたケーブルの引き出し長に変動があっても、第二固定部２５ｂはフラットケーブル２４を調整可能に固定しているので、第一巻取部２３ａから余剰分を引き出したり収容したりして、フラットケーブル２４に負荷をかけることなく引き出し長を容易に変更することができる。
また、第一巻取部２３ａにフラットケーブル２４の余剰分が弛緩した状態で巻き取られているため、収納部２３ｉ内で可動体２０の動きに合わせて第一巻取部２３ａに巻き取ったり巻取りを緩めたりして、フラットケーブル２４の一端部２４ａのコネクタ部２４ｄ（接続部）に負荷をかけることはない。
【００３７】
次に、遊技機用演出表示装置の他例について、図９（ａ）（ｂ）を参照して説明する。図９（ａ）（ｂ）は、遊技機用演出装置の動作前後の状態を示す正面透視図である。図２（ａ）（ｂ）で説明したように演出装置１４に設けられる可動体２０は、原点位置と最大回転位置との間を回転動作するようになっていたが、これに限定されるものではない。上述した実施形態と同一部材については同一番号を付して説明を援用するものとする。図９（ａ）（ｂ）に示すように、可動体２０´は、取付ベース２１´に対して直線往復運動するものであってもよい。
【００３８】
取付ベース２１´には、ステッピングモータ２６及び巻取部２３が設けられている。巻取部２３は第一巻取部２３ａと第二巻取部２３ｂが同心状に配置されている。また、収納部２３ｉにはフラットケーブル２４がロール状に巻かれたロール部２４ｃが収納され、一端部２４ａ近傍が第一筒状部２３ｄに対して第一固定部２５ａにより固定されている。また、他端側は中間部で第二スリット２３ｇ（開口部）から第二筒状部２３ｆの外周側に引き出される直前で第二固定部２５ｂにより第二筒状部２３ｆの筒孔内で内壁面に調整可能に固定される点は前実施の形態と同様である。
【００３９】
フラットケーブル２４は第二筒状部２３ｆの内壁面に第二固定部２５ｂにより押し当てられた状態で第二筒状部２３ｆの外周側に引き出されて可動体２０´の原点位置（第一位置）から最大移動位置（第二位置）までの移動相当分が巻き取られている。フラットケーブル２４の他端部２４ｂは第二筒状部２３ｆより引き出されて可動体２０´に設けられたケーブルガイド２０ｇを経て当該可動体２０´に設けられる端子部（図示せず）と接続されている。ケーブルガイド２０ｇはピンであってもローラであってもいずれでもよい。ステッピンモータ２６のモータ歯車２６ａと、第二巻取部２３ｂ（第二筒状部２３ｆ）に設けられた巻取歯車２８は、可動体２０´に移動方向に沿って設けられた可動ラック２０ｉと各々噛み合っている。また、取付ベース２１´には、可動体２０´の最大移動端部に対応する部位にフォトセンサ２１ｄが設けられている。可動体２０´の移動方向先端部には遮光板２０ｄが設けられている（図９（ａ）参照）。可動体２０´が取付ベース２１の最大移動端まで移動して遮光板２０ｄがフォトセンサ２１ｄに検知されると可動体２０の移動を停止するようになっている（図９（ｂ）参照）。
【００４０】
図９（ａ）において、ステッピングモータ２６を起動すると、可動体２０´はモータ歯車２６ａと噛み合う可動ラック２０ｉを通じて図９（ａ）に示す原点位置（第一位置）から図９（ｂ）に示す最大移動位置（第二位置）まで直線移動し、第二巻取部２３ｂ（第二筒状部２３ｆ）に設けられた巻取歯車２８も可動ラック２０ｉと噛み合いながら従動回転する。このとき、第二筒状部２３ｆが可動体２０´の移動動作に連動して回転することで、第二巻取部２３ｂに巻き取られたフラットケーブル２４が同時に引き出される。また、収納部２３ｉ内に弛緩した状態で巻き取られているロール部２４ｃは、第二筒状部２３ｆの回転に伴って第一筒状部２３ｄの外周に緊張状態となって巻き取られる。可動体２０´は、遮光板２０ｄがフォトセンサ２１ｄにより検知されると、ステッピングモータ２６の駆動が停止し、可動体２０´は図９（ｂ）に示す最大移動位置（第二位置）で停止する。
【００４１】
また、ステッピングモータ２６を所定ステップ数逆転させて、可動体２０´が図９（ｂ）に示す最大移動位置から図９（ａ）に示す原点位置まで戻ると、可動体２０´の移動動作に連動して第二筒状部２３ｆが回転することで引き出されたフラットケーブル２４を第二巻取り部２３ｂ（第二筒状部２３ｆ）の外周に再度巻き取ることができる。このとき、収納部２３ｉ内のロール部２４ｃは、図９（ａ）に示すように、第二筒状部２３ｆの回転に伴って第一筒状部２３ｄの外周に弛緩した状態となる。よって、フラットケーブル２４は、可動体２０´の動きに即応して収納かつ無理なく引き出すことができる。
【００４２】
次に遊技機用演出装置の他例について図１０及び図１１を参照して説明する。上述した実施形態は、取付ベース２１に駆動源及び巻取部２３を配置して可動体２０に対してフラットケーブル２４を配線接続する構成であったが、これに限定されるものではない。即ち、可動体２０側に少なくとも巻取部２３を一体に搭載して移動するようにしてもよい。尚、上述した実施形態と同一部材については同一番号を付して説明を援用するものとする。
【００４３】
図１０（ａ）（ｂ）は、可動体２０に駆動源（ステッピングモータ２６）及び巻取部２３を搭載した遊技機用演出装置１４の動作前後の状態を示す正面透視図である。可動体２０には、ステッピングモータ２６及び巻取部２３が搭載されている。また、取付ベース２１には、フラットケーブル２４の他端部２４ｂを固定する筒状の第三筒状部２３ｊが設けられ、可動体２０の外周部に対向して内歯歯車２１ｅが形成されている。ステッピングモータ２６にはモータ歯車２６ａが設けられ、外周縁部に設けられた第一伝達歯車２７ａと噛み合っている。また、本実施例においては、第一伝達歯車２７ａの略対向位置に巻取歯車２８が直接内歯歯車２１ｅと噛み合うように巻取部２３が設けられている。そして、可動体２０の第一伝達歯車２７ａと巻取歯車２８の略中間外周縁部には複数のガイド歯車２７ｅが回転可能に設けられている。第一伝達歯車２７ａ，ガイド歯車２７ｅの回転軸２７ｃ，２７ｄは、後述するようにフラットケーブル２４のガイド軸を兼用している。
【００４４】
巻取部２３は第一巻取部２３ａと第二巻取部２３ｂが可動体２０に同心状に配置されている。また、収納部２３ｉにはフラットケーブル２４がロール状に巻かれたロール部２４ｃが収納され、一端部２４ａ近傍が第一筒状部２３ｄに対して第一固定部２５ａにより固定されている。また、他端部２４ｂは中間部で第二筒状部２３ｆの外面側に引き出される直前で第二固定部２５ｂにより内壁面に調整可能に固定されている点は前実施の形態と同様である。可動体２０の外周縁部には、巻取部２３とガイド歯車２７ｅとの間、ガイド歯車２７ｅと第一伝達歯車２７ａとの間に、巻取部２３より引き出されるフラットケーブル２４が弛んで可動体２０の回動を阻害しないように案内するガイド軸２０ｈが各々設けられている。可動体２０が取付ベース２１に重ねて組み付けられると、可動体２０に略均等に配置された第一伝達歯車２７ａ，ガイド歯車２７ｅ，巻取歯車２８が内歯歯車２１ｅと各々噛み合うようになっており、可動体２０が取付ベース２１に対して安定した状態で回動する。
【００４５】
フラットケーブル２４は第二筒状部２３ｆの内壁面に第二固定部２５ｂにより押し当てられた固定状態で第二筒状部２３ｆの外面側に引き出されて可動体２０の移動相当分が巻き取られている。フラットケーブル２４の他端部２４ｂは第二筒状部２３ｆの第二スリット２３ｇ（開口部）より引き出されて取付ベース２１に設けられた筒状の第三筒状部２３ｊに固定されている。フラットケーブル２４の他端部２４ｂは第三筒状部２３ｊの外周に巻き取られて第三筒状部２３ｊの一部が切り欠かれた第三スリット２３ｋより径方向仕切り壁２３ｍに沿って重ね合わせた状態で、第三固定部２５ｃに挟み込まれて固定される。第三固定部２５ｃは、例えばＬ型アングル材が用いられ、第三筒状部２３ｊの筒孔内で取付ベース２１に対してねじ止めすることで他端部２４ｂが仕切り壁２３ｍとの間で挟み込まれて固定される。
【００４６】
図１０（ａ）において、ステッピングモータ２６を起動すると、第一伝達歯車２７ａ，ガイド歯車２７ｅが内歯歯車２１ｅと噛み合いながら可動体２０が自走回転し、第二巻取部２３ｂ（第二筒状部２３ｆ）に設けられた巻取歯車２８も内歯歯車２１ｅと噛み合いながら従動回転する。可動体２０が図１０（ａ）に示す原点位置（第一位置）から図１０（ｂ）に示す最大回転位置（第二位置）まで回転移動する際に、第二巻取部２３ｂ（第二筒状部２３ｆ）の外周に巻き取られたフラットケーブル２４が巻き戻され、巻き戻されたフラットケーブル２４は、弛むことなくガイド軸２０ｈ、回転軸２７ｄにガイドされながら引き出される。このとき、可動体２０が図１０（ｂ）に示す最大回転位置まで変位すると、第二筒状部２３ｆが可動体２０の回転動作に連動して回転することで、第二巻取部２３ｂから引き出されたフラットケーブル２４は、ガイド軸２０ｈ、回転軸２７ｄに弛みのない緊張した状態で支持される。また、原点位置（第一位置）で収納部２３ｉ内に弛緩した状態で巻き取られていたロール部２４ｃは、第二筒状部２３ｆの回転に伴って第一筒状部２３ｄの外周に緊張状態となって巻き取られる。
【００４７】
また、ステッピングモータ２６を逆回転させて、可動体２０が図１０（ｂ）に示す最大回転位置から図１０（ａ）に示す原点位置まで戻ると、可動体２０の回転動作に連動して第二筒状部２３ｆが回転することで引き出されたフラットケーブル２４を第二巻取り部２３ｂ（第二筒状部２３ｆ）の外周に再度巻き取ることができる。このとき、収納部２３ｉ内のロール部２４ｃは、図１０（ａ）に示すように、第二筒状部２３ｆの回転に伴って第一筒状部２３ｄの外周に弛緩した状態となる。よって、フラットケーブル２４は、コネクタ部２４ｄ等の接続部に負荷をかけることなく可動体２０の動きに即応して収納かつ無理なく引き出すことができる。
【００４８】
図１１（ａ）（ｂ）は、可動体２０´に巻取部２３を搭載した遊技機用演出装置１４の動作前後の状態を示す正面透視図である。駆動源（ステッピングモータ２６）は取付ベース２１´側に設けられている。ステッピングモータ２６のモータ歯車２６ａは、可動体２０´に設けられた可動ラック２０ｉと噛み合っている。
【００４９】
巻取部２３は、第一巻取部２３ａと第二巻取部２３ｂが可動体２０´に同心状に配置されている。また、収納部２３ｉにはフラットケーブル２４がロール状に巻かれたロール部２４ｃが収納され、一端部２４ａ近傍が第一筒状部２３ｄに対して第一固定部２５ａにより固定されている。また、他端側は中途部で第二筒状部２３ｆの第二スリット２３ｇ（開口部）から外周側に引き出される直前で第二固定部２５ｂにより第二筒状部２３ｆの筒孔内で内壁面に調整可能に固定されている点は前実施の形態と同様である。
【００５０】
取付ベース２１´には、ステッピングモータ２６及び筒状の第三筒状部２３ｊが設けられ、第三筒状部２３ｊにフラットケーブル２４の一端部２４ａが固定されている。フラットケーブル２４の他端部２４ｂは第三筒状部２３ｊの外周に巻き取られて第三筒状部２３ｊの一部が切り欠かれた第三スリット２３ｋより径方向仕切り壁２３ｍに沿って重ね合わせた状態で、第三固定部２５ｃに挟み込まれて固定される。第三固定部２５ｃは、例えばＬ型アングル材が用いられ、第三筒状部２３ｊの筒孔内で取付ベース２１に対してねじ止めすることで他端部２４ｂが仕切り壁２３ｍとの間で挟み込まれて固定される。取付ベース２１´には、可動ラック２０ｉと平行に固定ラック２１ｆが設けられている。この固定ラック２１ｆには、第二巻取部２３ｂ（第二筒状部２３ｆ）に設けられた巻取歯車２８が噛み合っている。また、取付ベース２１´には、可動体２０´の最大移動端部に対応する部位にフォトセンサ２１ｄが設けられている。可動体２０´の移動方向先端部には遮光板２０ｄが設けられている（図１１（ａ）参照）。可動体２０´が取付ベース２１´の最大移動端まで移動して遮光板２０ｄがフォトセンサ２１ｄに検知されるとステッピングモータ２６の駆動が停止し、最大移動位置（第二位置）で停止するようになっている（図１１（ｂ）参照）。
【００５１】
図１１（ａ）において、ステッピングモータ２６を起動すると、モータ歯車２６ａと噛み合う可動ラック２０ｉを通じて可動体２０´が移動し、第二巻取部２３ｂ（第二筒状部２３ｆ）に設けられた巻取歯車２８も固定ラック２１ｆと噛み合いながら従動回転する。可動体２０´が図１１（ａ）に示す原点位置（第一位置）から図１１（ｂ）に示す最大移動位置（第二位置）まで直線移動する。このとき、第二筒状部２３ｆが可動体２０´の移動動作に連動して回転することで、第二巻取部２３ｂに巻き取られたフラットケーブル２４が同時に引き出される。また、収納部２３ｉ内に弛緩した状態で巻き取られているロール部２４ｃは、第二筒状部２３ｆの回転に伴って第一筒状部２３ｄの外周に緊張状態となって巻き取られる。可動体２０´は、遮光板２０ｄがフォトセンサ２１ｄにより検知されると、ステッピングモータ２６の駆動が停止し、可動体２０´は最大移動位置（第二位置）で停止する。
【００５２】
また、ステッピングモータ２６を所定ステップ数逆回転させて可動体２０´が図１１（ｂ）に示す最大移動位置から図１１（ａ）に示す原点位置まで戻ると、可動体２０の回転動作に連動して第二筒状部２３ｆが回転することで引き出されたフラットケーブル２４を第二巻取り部２３ｂ（第二筒状部２３ｆ）の外周に再度巻き取ることができる。このとき、収納部２３ｉ内のロール部２４ｃは、図１１（ａ）に示すように、第二筒状部２３ｆの回転に伴って第一筒状部２３ｄの外周に弛緩した状態となる。よって、フラットケーブル２４は、可動体２０´の動きに即応して収納かつ無理なく引き出すことができる。
【００５３】
以上説明したように、巻取部２３と可動体２０とを電気的に配線接続するフラットケーブル２４は、可動体２０の変位する範囲で中間部を第二固定部２５ｂにより巻取部２３に固定することができるので、巻取部２３から可動体２０まで適正な線長のフラットケーブル２４を弛みなく容易に調整して組み付けることができる。また、巻取部２３は可動体２０の移動動作に連動して回転するため、フラットケーブル２４には可動体２０の変位に対して無理な負荷が作用することはなく、可動体２０の変位に即応した引き出し及び巻き取りを実現でき、可動体２０の変位に追従してフラットケーブル２４の巻取り分をコンパクトに収納することができる。
遊技盤ユニット７に演出装置１４が液晶表示装置１５を囲んで配置された遊技機においては、遊技者の興趣を増大させて、液晶画面表示等の演出効果を高めることが可能となる。
【００５４】
尚、演出装置１４は、液晶表示装置１５の画面表示と連繋して演出表示させる場合について説明したがこれに限らず、液晶表示画面とは独立して動作するようにしてもよい。
また、第二固定部２５ｂは、フラットケーブル２４の中間部を第二巻取部２３ｂに対して固定していたが、例えば板ばね等の弾性部材を用いて所定のテンションまでは移動せずに固定しそれ以上のテンションが作用した際にケーブルの移動を許容するように固定することも可能である。これにより、フラットケーブル２４の引き出し及び巻き取りに際して、予め引き出し可能に定めたケーブル長に誤差等が生じてもフラットケーブル２４に負荷が作用するのを回避し誤差を吸収することができる。
また、演出装置１４は、遊技盤ユニット７の一部として内枠に設けられていたが、前面枠５側に設けてもよい。この場合にも、演出装置１４は、液晶表示装置１５の液晶画面と重ねて配置することで演出効果を高めることができる。
【００５５】
また、上述した実施形態は、遊技機の一例としてパチンコ機１について説明したが、他に例えば雀球遊技機やアレンジボール遊技機などの遊技球を使用する弾球遊技機、さらにはコインを遊技媒体とした回胴式遊技機などに適用してもよい。
【符号の説明】
【００５６】
１  パチンコ機  ２  外枠  ３ａ，３ｂ  内枠ヒンジ  ４ａ，４ｂ  前枠ヒンジ  ５  前面枠  ５ａ  シリンダ錠  ５ｂ  開口窓  ６  遊技盤  ６ａ  遊技領域  ７  遊技盤ユニット  ８  装飾ランプ  ９  球受け皿  １０  操作部材  １１  発射ハンドル  １２  ガイドレール  １３  球抜きボタン  １４  演出装置  １５  液晶表示装置  １６  スルーチャッカー  １７  始動口  １８  アタッカー  １９  アウト口  ２０，２０´  可動体  ２０ａ  表示孔    ２０ｂ  滑車  ２０ｃ  外歯車部  ２０ｄ  遮光板  ２０ｅ  端子部  ２０ｆ  ガイド壁    ２０ｇ  ケーブルガイド  ２０ｈ  ガイド軸  ２０ｉ  可動ラック  ２１，２１´  取付ベース  ２１ａ  窓部  ２１ｂ  レール部  ２１ｃ  歯車軸  ２１ｄ  フォトセンサ  ２１ｅ  内歯歯車  ２１ｆ  固定ラック  ２２  装飾体  ２２ａ  装飾体モータ  ２２ｂ  ギヤ列  ２２ｃ  回転軸  ２３  巻取部  ２３ａ  第一巻取部（巻心部）  ２３ｂ  第二巻取部  ２３ｃ，２３ｍ  仕切り壁  ２３ｄ  第一筒状部  ２３ｅ  第一スリット  ２３ｆ  第二筒状部  ２３ｇ  第二スリット  ２３ｈ  筒孔  ２３ｉ  収納部  ２３ｊ  第三筒状部  ２３ｋ  第三スリット  ２４  フラットケーブル  ２４ａ  一端部  ２４ｂ  他端部  ２４ｃ  ロール部  ２４ｄ  コネクタ部  ２５ａ  第一固定部  ２５ｂ  第二固定部  ２５ｃ  第三固定部  ２６  ステッピングモータ  ２６ａ  モータ歯車  ２７ａ  第一伝達歯車  ２７ｂ  第二伝達歯車  ２７ｃ，２７ｄ  回転軸  ２７ｅ  ガイド歯車  ２８  巻取歯車  ２９  中継基板
【図１】
2020124322.tif 000003
【図２】
2020124322.tif 000004
【図３】
2020124322.tif 000005
【図４】
2020124322.tif 000006
【図５】
2020124322.tif 000007
【図６】
2020124322.tif 000008
【図７】
2020124322.tif 000009
【図８】
2020124322.tif 000010
【図９】
2020124322.tif 000011
【図１０】
2020124322.tif 000012
【図１１】
2020124322.tif 000013